(57)【要約】      （修正有）【課題】電圧変動範囲が大きなグリーンエネルギー電源（例えば、太陽エネルギー）に対して良好な変換効率を有する改良型電源スイッチ制御回路を提供する。【解決手段】第１開閉ユニット１０４、第２開閉ユニット１０６、第３開閉ユニット１０８、第４開閉ユニット１１０及び開閉制御ユニット１１２を含む。直流電圧供給装置２０が直流電圧を伝送する時、開閉制御ユニットは、第４開閉ユニットをオンにし且つ第２開閉ユニットをオフにし、第１所定時間を遅延した後、開閉制御ユニットは、第１開閉ユニットをオンにし、且つ第３開閉ユニットをオフにする。直流電圧供給装置が直流電圧の伝送を停止する時、開閉制御ユニットは、第３開閉ユニットをオンにし、且つ第１開閉ユニットをオフにし、第２所定時間を遅延した後、開閉制御ユニットが第２開閉ユニットをオンにし、且つ第４開閉ユニットをオフにする。【選択図】図１
0003200879.tif 000002
【実用新案登録請求の範囲】
【請求項１】
直流電圧供給装置及び超コンデンサに応用される改良型電源スイッチ制御回路であって、該改良型電源スイッチ制御回路は、
該直流電圧供給装置に電気接続する電圧入力端と、
該電圧入力端に電気接続する第１開閉ユニットと、
超コンデンサに電気接続する第２開閉ユニットと、
該第２開閉ユニットに電気接続する第３開閉ユニットと、
該第１開閉ユニットに電気接続する第４開閉ユニットと、
該電圧入力端、第１開閉ユニット、該第２開閉ユニット、該第３開閉ユニット及び該第４開閉ユニットに電気接続する開閉制御ユニットと、
該第３開閉ユニット及び該第４開閉ユニットに電気接続する電圧出力端と、
を含み、そのうち、該直流電圧供給装置が直流電圧を電圧入力端に伝送する時、該開閉制御ユニットが該第４開閉ユニットをオンにし、且つ該第２開閉ユニットをオフにし、
続いて、第１所定時間を遅延後、該開閉制御ユニットは、該第１開閉ユニットをオンにし、且つ該第３開閉ユニットをオフにする。そのうち、該直流電圧供給装置が該直流電圧を該電圧入力端に伝送するのを停止する時、該開閉制御ユニット該第３開閉ユニットをオンにし、且つ該第１開閉ユニットをオフにする。続いて、第２所定時間を遅延後、該開閉制御ユニットは、該第２開閉ユニットをオンにし、且つ該第４開閉ユニットをオフにする、改良型電源スイッチ制御回路。
【請求項２】
前記第１開閉ユニット的ソースとゲートに接続する第１抵抗と、
該第２開閉ユニット的ソースとゲートに接続する第２抵抗と、
該第３開閉ユニット的ソースとゲートに接続する第３抵抗と、
該第４開閉ユニット的ソースとゲートに接続する第４抵抗と、
を更に含む請求項１に記載の改良型電源スイッチ制御回路。
【請求項３】
前記開閉制御ユニットは、
該電圧入力端に電気接続する電圧比較サブユニットと、
該電圧比較サブユニットに電気接続する遅延サブユニットと、
を更に含む請求項２に記載の改良型電源スイッチ制御回路。
【請求項４】
前記開閉制御ユニットは、
該電圧比較サブユニット及び該遅延サブユニットに電気接続する論理ゲートユニットと、
該論理ゲートユニット、該第１開閉ユニット、該第２開閉ユニット、該第３開閉ユニット及び該第４開閉ユニットに電気接続するダウンサブユニットと、
を更に含む請求項３に記載の改良型電源スイッチ制御回路。
【請求項５】
前記第１開閉ユニットは、Ｐ型ＭＯＳＦＥＴであり、該第２開閉ユニットは、Ｐ型ＭＯＳＦＥＴであり、該第３開閉ユニットは、Ｐ型ＭＯＳＦＥＴであり、該第４開閉ユニットは、Ｐ型ＭＯＳＦＥＴである請求項４に記載の改良型電源スイッチ制御回路。
【請求項６】
直流電圧供給装置及び超コンデンサに応用される改良型電源スイッチ制御回路であって、該改良型電源スイッチ制御回路は、
該直流電圧供給装置に電気接続する電圧入力端と、
該電圧入力端に電気接続する第１開閉ユニットと、
超コンデンサに電気接続する第２開閉ユニットと、
該第２開閉ユニットに電気接続する第３開閉ユニットと、
該電圧入力端、第１開閉ユニット、該第２開閉ユニット及び該第３開閉ユニットに電気接続する開閉制御ユニットと、
該第１開閉ユニット及び該第３開閉ユニットに電気接続する電圧出力端と、
を含み、そのうち、該直流電圧供給装置が直流電圧を電圧入力端に伝送する時、該開閉制御ユニットが該第４開閉ユニットをオンにし、且つ該第２開閉ユニットをオフにし、
続いて、第１所定時間を遅延後、該開閉制御ユニットは、該第１開閉ユニットをオンにし、且つ該第３開閉ユニットをオフにする。そのうち、該直流電圧供給装置が該直流電圧を該電圧入力端に伝送するのを停止する時、該開閉制御ユニット該第３開閉ユニットをオンにし、且つ該第１開閉ユニットをオフにする。続いて、第２所定時間を遅延後、該開閉制御ユニットは、該第２開閉ユニットをオンにする、改良型電源スイッチ制御回路。
【請求項７】
前記第１開閉ユニット的ソースとゲートに接続する第１抵抗と、
該第２開閉ユニット的ソースとゲートに接続する第２抵抗と、
該第３開閉ユニット的ソースとゲートに接続する第３抵抗と、
を更に含む請求項６に記載の改良型電源スイッチ制御回路。
【請求項８】
前記開閉制御ユニットは、
該電圧入力端に電気接続する電圧比較サブユニットと、
該電圧比較サブユニットに電気接続する遅延サブユニットと、
を更に含む請求項７に記載の改良型電源スイッチ制御回路。
【請求項９】
前記開閉制御ユニットは、
該電圧比較サブユニット及び該遅延サブユニットに電気接続する論理ゲートユニットと、
該論理ゲートユニット、該第１開閉ユニット、該第２開閉ユニット、該第３開閉ユニットに電気接続するダウンサブユニットと、
を更に含む請求項８に記載の改良型電源スイッチ制御回路。
【請求項１０】
前記第１開閉ユニットは、Ｐ型ＭＯＳＦＥＴであり、該第２開閉ユニットは、Ｐ型ＭＯＳＦＥＴであり、該第３開閉ユニットは、Ｐ型ＭＯＳＦＥＴである請求項９に記載の改良型電源スイッチ制御回路。
【考案の詳細な説明】
【技術分野】
【０００１】
本考案は、改良型電源スイッチ制御回路に関し、特に、入力する直流電圧が超コンデンサの電圧より低い改良型電源スイッチ制御回路に関する。
【背景技術】
【０００２】
従来技術の電源変換制御回路は、直流電圧供給装置、超コンデンサ及び電源負荷（又は電源処理回路）に応用され、直流電圧供給装置は、従来技術の電源変換制御回路を介して直流電圧を伝送し、電源負荷（電源処理回路）に対して給電し、直流電圧供給装置が直流電圧の伝送を停止する時、超コンデンサが、従来技術の電源変換制御回路を介して電源負荷（又は電源処理回路）に対して給電する。
【０００３】
上記の従来技術の欠陥は、直流電圧は、超コンデンサの電圧より高い必要があり、そうでなければ、超コンデンサと従来技術の電源スイッチ制御回路は、正常動作することができない。ここで、グリーンエネルギー電源（例えば、太陽エネルギー）に応用する時、問題が発生する。なぜならば、グリーンエネルギー電源の電圧は、ある時は、比較的低く（例えば、日光が比較的弱い）、超コンデンサの電圧より低く、この時、上記の電流電圧を利用することができない場合、電源全体の変換効率が良好でなくなる。
【先行技術文献】
【特許文献】
【０００４】
【特許文献１】特開平７−１８４３２０号公報
【考案の概要】
【考案が解決しようとする課題】
【０００５】
上記従来技術の欠陥を改善する為、本考案の目的は、電圧変動範囲が大きなグリーンエネルギー電源（例えば、太陽エネルギー）に対して良好な変換効率を有する改良型電源スイッチ制御回路を提供することにある。
【課題を解決するための手段】
【０００６】
本考案の上記目的を達成する為、本考案の改良型電源スイッチ制御回路は、直流電圧供給装置及び超コンデンサに応用され、該改良型電源スイッチ制御回路は、該直流電圧供給装置に電気接続する電圧入力端と、該電圧入力端に電気接続する第１開閉ユニットと、超コンデンサに電気接続する第２開閉ユニットと、該第２開閉ユニットに電気接続する第３開閉ユニットと、該第１開閉ユニットに電気接続する第４開閉ユニットと、該電圧入力端、第１開閉ユニット、該第２開閉ユニット、該第３開閉ユニット及び該第４開閉ユニットに電気接続する開閉制御ユニットと、該第３開閉ユニット及び該第４制御ユニットに電気接続する電圧出力端と、を含む。
そのうち、該直流電圧供給装置が直流電圧を電圧入力端に伝送する時、該開閉制御ユニットが該第４開閉ユニットをオンにし、且つ該第２開閉ユニットをオフにする。続いて、第１所定時間を遅延後、該開閉制御ユニットは、該第１開閉ユニットをオンにし、且つ該第３開閉ユニットをオフにする。そのうち、該直流電圧供給装置が該直流電圧を該電圧入力端に伝送するのを停止する時、該開閉制御ユニット該第３開閉ユニットをオンにし、且つ該第１開閉ユニットをオフにする。続いて、第２所定時間を遅延後、該開閉制御ユニットは、該第２開閉ユニットをオンにし、且つ該第４開閉ユニットをオフにする。
【０００７】
本考案の上記もう１つの目的を達成する為、本考案の改良型電源スイッチ制御回路は、直流電圧供給装置及び超コンデンサに応用され、該改良型電源スイッチ制御回路は、該直流電圧供給装置に電気接続する電圧入力端と、該電圧入力端に電気接続する第１開閉ユニットと、該超コンデンサに電気接続する第２開閉ユニットと、該第２開閉ユニットに電気接続する第３開閉ユニットと、該電圧入力端、該第１開閉ユニット、該第２開閉ユニット及び該第３開閉ユニットに電気接続する開閉制御ユニットと、該第１開閉ユニット及び該第３開閉ユニットに電気接続する電圧出力端と、を含む。そのうち、該直流電圧供給装置が直流電圧を該電圧入力端に伝送する時、該開閉制御ユニットが該第２開閉ユニットをオフにし、続いて、第１所定時間を遅延後、該開閉制御ユニットは、該第１開閉ユニットをオンにし、且つ該第３開閉ユニットをオフにする。そのうち、該直流電圧供給装置が該直流電圧を該電圧入力端へ伝送するのを停止する時、該開閉制御ユニットは、該第３開閉ユニットをオンにし、且つ該第１開閉ユニットをオフにする。続いて、第２所定時間を遅延後、該開閉制御ユニットが該第２開閉ユニットをオンにする。
【考案の効果】
【０００８】
本考案の効果は、入力する電流電圧を超コンデンサの電圧より低くすることができ、従って、電圧変動範囲が大きなグリーンエネルギー電源（例えば、太陽エネルギー）に対して良好な変換効率を有することができる。
【図面の簡単な説明】
【０００９】
【図１】本考案の改良型電源変換制御回路の第１実施例のブロック図である。
【図２】本考案の改良型電源変換制御回路の第２実施例のブロック図である。
【考案を実施するための形態】
【００１０】
本考案の詳細及び技術内容について、図面を併せて以下に説明するが、図面は、ただ参考及び説明に用いるだけであり、本考案を制限するものではない。
【００１１】
図１を参照して説明するが、それは、本考案の改良型電源スイッチ制御回路の第１実施例のブロック図である。改良型電源スイッチ制御回路１０は、直流電圧供給装置２０及び超コンデンサ３０に応用され、該改良型電源スイッチ制御回路１０は、電圧入力端１０２、第１開閉ユニット１０４、第２開閉ユニット１０６、第３開閉ユニット１０８、第４開閉ユニット１１０、開閉制御ユニット１１２、電圧出力端１１４、第１抵抗１１６、第２抵抗１１８、第３抵抗１２０及び第４抵抗１２２を含む。該開閉制御ユニット１１２は、電圧比較サブユニット１１２０２、遅延サブユニット１１２０４、論理ゲートユニット１１２０６及びダウンサブユニット１１２０８を含む。
【００１２】
該電圧入力端１０２は、該直流電圧供給装置２０に電気接続する。該第１開閉ユニット１０４は、該電圧入力端１０２に電気接続する。該第２開閉ユニット１０６は、超コンデンサ３０に電気接続する。該第３開閉ユニット１０８は、該第２開閉ユニット１０６に電気接続する。該第４開閉ユニット１１０は、該第１開閉ユニット１０４に電気接続する。該開閉制御ユニット１１２は、該電圧入力端１０２、該第１開閉ユニット１０４、該第２開閉ユニット１０６、該第３開閉ユニット１０８及び該第４開閉ユニット１１０に電気接続する。該電圧出力端１１４は、該第３開閉ユニット１０８及び該第４開閉ユニット１１０に電気接続する。
【００１３】
該第１抵抗１１６は、該第１開閉ユニット１０４のソース（source）とゲート（gate）に接続する。該第２抵抗１１８は、該第２開閉ユニット１０６のソースとゲートに接続する。該第３抵抗１２０は、該第３開閉ユニット１０８のソースとゲートに接続する。該第４抵抗１２２は、該第４開閉ユニット１１０のソースとゲートに接続する。該電圧比較サブユニット１１２０２は、該電圧入力端１０２に電気接続する。
該遅延サブユニット１１２０４は、該電圧比較サブユニット１１２０２に電気接続する。該論理ゲートユニット１１２０６は、該電圧比較サブユニット１１２０２及び該遅延サブユニット１１２０４に電気接続する。該ダウンサブユニット１１２０８は、該論理ゲートユニット１１２０６、該第１開閉ユニット１０４、該第２開閉ユニット１０６、該第３開閉ユニット１０８及び該第４開閉ユニット１１０に電気接続する。
【００１４】
該直流電圧供給装置２０は、直流電圧２２を該電圧入力端１０２に入力し、且つ該直流電圧２２が標準電圧範囲に適合する時、該開閉制御ユニット１１２は、該第４開閉ユニット１１０をオンにし、且つ該第２開閉ユニット１０６をオフにし、これにより、該超コンデンサ３０が比較的高い電圧により再充電されることを回避する（即ち、該超コンデンサ３０に逆流することを回避する）；該超コンデンサ３０が比較的高い電圧により再充電される場合、該超コンデンサ３０を損壊させ、更には、危険を発生する。続いて、第１所定時間を遅延した後、該開閉制御ユニット１１２は、該第１開閉ユニット１０４をオンにし、且つ該第３開閉ユニット１０８をオフにする。該第１開閉ユニット１０４をオンにすることで開閉ＭＯＳ内部ダイオードが降圧し、発熱及び不要な電源損耗を招くことを回避することができる。
【００１５】
該直流電圧供給装置２０が該直流電圧２２を該電圧入力端１０２に伝送することを停止する時、該開閉制御ユニット１１２は、該第３開閉ユニット１０８をオンにし、且つ該第１開閉ユニット１０４をオフにし、該電圧出力端１１４の出力電圧が低下することを回避し（即ち、該電圧出力端１１４のパワーダウンを回避する）、同時に該直流電圧供給装置２０に逆流することを回避する。続いて、第２所定時間を遅延した後、該開閉制御ユニット１１２は、該第２開閉ユニット１０６をオンにし、且つ該第４開閉ユニット１１０をオフにする。該第２開閉ユニット１０６をオンにすることで開閉ＭＯＳ内部ダイオードが降圧し、発熱及び不要な電源損耗を招くことを回避することができる。
【００１６】
該第１開閉ユニット１０４は、Ｐ型ＭＯＳＦＥＴであり、該第２開閉ユニット１０６は、Ｐ型ＭＯＳＦＥＴであり、該第３開閉ユニット１０８は、Ｐ型ＭＯＳＦＥＴであり、該第４開閉ユニット１１０は、Ｐ型ＭＯＳＦＥＴである。該電圧出力端１１４は、電源負荷（図１に示さず）又は電源処理回路（図１に示さず）に接続し、該ダウンサブユニット１１２０８は、少なくとも１つのＮ型ＭＯＳＦＥＴを含む（図１に示さず）。
【００１７】
図２を参照し、それは、本考案の改良型電源スイッチ制御回路の第２実施例のブロック図である。改良型電源スイッチ制御回路１０は、直流電圧供給装置２０及び超コンデンサ３０に応用され、該改良型電源スイッチ制御回路１０は、電圧入力端１０２と、第１開閉ユニット１０４と、第２開閉ユニット１０６と、第３開閉ユニット１０８と、開閉制御ユニット１１２と、電圧出力端１１４と、第１抵抗１１６と、第２抵抗１１８と、第３抵抗１２０と、を含む。該開閉制御ユニット１１２は、電圧比較サブユニット１１２０２と、遅延サブユニット１１２０４と、論理ゲートユニット１１２０６と、ダウンサブユニット１１２０８と、を含む。
【００１８】
該電圧入力端１０２は、該直流電圧供給装置２０に電気接続する。該第１開閉ユニット１０４は、該電圧入力端１０２に電気接続する。該第２開閉ユニット１０６は、該超コンデンサ３０に電気接続する。該第３開閉ユニット１０８は、該第２開閉ユニット１０６に電気接続する。該開閉制御ユニット１１２は、該電圧入力端１０２、該第１開閉ユニット１０４、該第２開閉ユニット１０６及び該第３開閉ユニット１０８に電気接続する。該電圧出力端１１４は、該第１開閉ユニット１０４及び該第３開閉ユニット１０８に電気接続する。
【００１９】
該第１抵抗１１６は、該第１開閉ユニット１０４のソースとゲートに接続する。該第２抵抗１１８は、該第２開閉ユニット１０６のソースとゲートに接続する。該第３抵抗１２０は、該第３開閉ユニット１０８のソースとゲートに接続する。該電圧比較サブユニット１１２０２は、該電圧入力端１０２に電気接続する。該遅延サブユニット１１２０４は、該電圧比較サブユニット１１２０２に電気接続する。該論理ゲートユニット１１２０６は、該電圧比較サブユニット１１２０２及び該遅延サブユニット１１２０４に電気接続する。該ダウンサブユニット１１２０８は、該論理ゲートユニット１１２０６、該第１開閉ユニット１０４、該第２開閉ユニット１０６及び該第３開閉ユニット１０８に電気接続する。
【００２０】
該直流電圧供給装置２０は、直流電圧２２を該電圧入力端１０２に伝送し、且つ該直流電圧２２が標準電圧範囲に符合する時、該開閉制御ユニット１１２該第２開閉ユニット１０６をオフにし、該超コンデンサ３０が比較的高い電圧により再充電されることを回避し（即ち、該超コンデンサ３０に逆流することを回避する）、該超コンデンサ３０が比較的高い電圧により再充電される場合、該超コンデンサ３０を損壊し、更には、危険を生じる。続いて、第１所定時間を遅延した後、該開閉制御ユニット１１２は、該第１開閉ユニット１０４をオンにし、且つ該第３開閉ユニット１０８をオフにする。該第１開閉ユニット１０４をオンにすることで開閉ＭＯＳ内部ダイオードが降圧し、発熱及び不要な電源損耗を招くことを回避することができる。
【００２１】
該直流電圧供給装置２０が該直流電圧２２を該電圧入力端１０２に伝送することを停止する時、該開閉制御ユニット１１２は、該第３開閉ユニット１０８をオンにし、且つ該第１開閉ユニット１０４をオフにし、該電圧出力端１１４の出力電圧が低下することを回避し（即ち、該電圧出力端１１４のパワーダウンを回避する）、同時に該直流電圧供給装置２０に逆流することを回避する。続いて、第２所定時間を遅延した後、該開閉制御ユニット１１２は、該第２開閉ユニット１０６をオンにする。該第２開閉ユニット１０６をオンにすることで開閉ＭＯＳ内部ダイオードが降圧し、発熱及び不要な電源損耗を招くことを回避することができる。
【００２２】
該第１開閉ユニット１０４は、Ｐ型ＭＯＳＦＥＴであり、該第２開閉ユニット１０６は、Ｐ型ＭＯＳＦＥＴであり、該第３開閉ユニット１０８は、Ｐ型ＭＯＳＦＥＴである。該電圧出力端１１４は、電源負荷（図２に示さず）又は電源処理回路（図２に示さず）に接続し、該ダウンサブユニット１１２０８は、少なくとも１つのＮ型ＭＯＳＦＥＴを含む（図２に示さず）。
【００２３】
本考案の効果は、入力する電流電圧を超コンデンサの電圧より低くすることができ、従って、電圧変動範囲が大きなグリーンエネルギー電源（例えば、太陽エネルギー）に対して良好な変換効率を有することができる。
【００２４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２５】
１０  改良型電源変換制御回路
２０  直流電源スイッチ制御回路
２２  直流電圧
３０  超コンデンサ
１０２  電圧入力端
１０４  第１開閉ユニット
１０６  第２開閉ユニット
１０８  第３開閉ユニット
１１０  第４開閉ユニット
１１２  開閉制御ユニット
１１４  電圧出力端
１１６  第１抵抗
１１８  第２抵抗
１２０  第３抵抗
１２２  第４抵抗
１１２０２  電圧比較サブユニット
１１２０４  遅延サブユニット
１１２０６  論理ゲートサブユニット
１１２０８  ダウンサブユニット
【図１】
0003200879.tif 000003
【図２】
0003200879.tif 000004
【手続補正書】
【提出日】平成27年9月1日(2015.9.1)
【手続補正１】
【補正対象書類名】実用新案登録請求の範囲
【補正対象項目名】全文
【補正方法】変更
【補正の内容】
【実用新案登録請求の範囲】
【請求項１】
直流電圧供給装置及び超コンデンサに応用される改良型電源スイッチ制御回路であって、該改良型電源スイッチ制御回路は、
該直流電圧供給装置に電気接続する電圧入力端と、
該電圧入力端に電気接続する第１開閉ユニットと、
超コンデンサに電気接続する第２開閉ユニットと、
該第２開閉ユニットに電気接続する第３開閉ユニットと、
該第１開閉ユニットに電気接続する第４開閉ユニットと、
該電圧入力端、第１開閉ユニット、該第２開閉ユニット、該第３開閉ユニット及び該第４開閉ユニットに電気接続する開閉制御ユニットと、
該第３開閉ユニット及び該第４開閉ユニットに電気接続する電圧出力端と、
を含み、そのうち、該直流電圧供給装置が直流電圧を電圧入力端に伝送する時、該開閉制御ユニットが該第４開閉ユニットをオンにし、且つ該第２開閉ユニットをオフにし、
続いて、第１所定時間を遅延後、該開閉制御ユニットは、該第１開閉ユニットをオンにし、且つ該第３開閉ユニットをオフにし、そのうち、該直流電圧供給装置が該直流電圧を該電圧入力端に伝送するのを停止する時、該第３開閉ユニットをオンにし、且つ該第１開閉ユニットをオフにし、続いて、第２所定時間を遅延後、該開閉制御ユニットは、該第２開閉ユニットをオンにし、且つ該第４開閉ユニットをオフにする、改良型電源スイッチ制御回路。
【請求項２】
前記第１開閉ユニットのソースとゲートに接続する第１抵抗と、
該第２開閉ユニットのソースとゲートに接続する第２抵抗と、
該第３開閉ユニットのソースとゲートに接続する第３抵抗と、
該第４開閉ユニットのソースとゲートに接続する第４抵抗と、
を更に含む請求項１に記載の改良型電源スイッチ制御回路。
【請求項３】
前記開閉制御ユニットは、
該電圧入力端に電気接続する電圧比較サブユニットと、
該電圧比較サブユニットに電気接続する遅延サブユニットと、
を更に含む請求項２に記載の改良型電源スイッチ制御回路。
【請求項４】
前記開閉制御ユニットは、
該電圧比較サブユニット及び該遅延サブユニットに電気接続する論理ゲートユニットと、
該論理ゲートユニット、該第１開閉ユニット、該第２開閉ユニット、該第３開閉ユニット及び該第４開閉ユニットに電気接続するダウンサブユニットと、
を更に含む請求項３に記載の改良型電源スイッチ制御回路。
【請求項５】
前記第１開閉ユニットは、Ｐ型ＭＯＳＦＥＴであり、該第２開閉ユニットは、Ｐ型ＭＯＳＦＥＴであり、該第３開閉ユニットは、Ｐ型ＭＯＳＦＥＴであり、該第４開閉ユニットは、Ｐ型ＭＯＳＦＥＴである請求項４に記載の改良型電源スイッチ制御回路。
【請求項６】
直流電圧供給装置及び超コンデンサに応用される改良型電源スイッチ制御回路であって、該改良型電源スイッチ制御回路は、
該直流電圧供給装置に電気接続する電圧入力端と、
該電圧入力端に電気接続する第１開閉ユニットと、
超コンデンサに電気接続する第２開閉ユニットと、
該第２開閉ユニットに電気接続する第３開閉ユニットと、
該電圧入力端、第１開閉ユニット、該第２開閉ユニット及び該第３開閉ユニットに電気接続する開閉制御ユニットと、
該第１開閉ユニット及び該第３開閉ユニットに電気接続する電圧出力端と、
を含み、そのうち、該直流電圧供給装置が直流電圧を電圧入力端に伝送する時、該開閉制御ユニットが該第４開閉ユニットをオンにし、且つ該第２開閉ユニットをオフにし、
続いて、第１所定時間を遅延後、該開閉制御ユニットは、該第１開閉ユニットをオンにし、且つ該第３開閉ユニットをオフにし、そのうち、該直流電圧供給装置が該直流電圧を該電圧入力端に伝送するのを停止する時、該第３開閉ユニットをオンにし、且つ該第１開閉ユニットをオフにし、続いて、第２所定時間を遅延後、該開閉制御ユニットは、該第２開閉ユニットをオンにする、改良型電源スイッチ制御回路。
【請求項７】
前記第１開閉ユニットのソースとゲートに接続する第１抵抗と、
該第２開閉ユニットのソースとゲートに接続する第２抵抗と、
該第３開閉ユニットのソースとゲートに接続する第３抵抗と、
を更に含む請求項６に記載の改良型電源スイッチ制御回路。
【請求項８】
前記開閉制御ユニットは、
該電圧入力端に電気接続する電圧比較サブユニットと、
該電圧比較サブユニットに電気接続する遅延サブユニットと、
を更に含む請求項７に記載の改良型電源スイッチ制御回路。
【請求項９】
前記開閉制御ユニットは、
該電圧比較サブユニット及び該遅延サブユニットに電気接続する論理ゲートユニットと、
該論理ゲートユニット、該第１開閉ユニット、該第２開閉ユニット、該第３開閉ユニットに電気接続するダウンサブユニットと、
を更に含む請求項８に記載の改良型電源スイッチ制御回路。
【請求項１０】
前記第１開閉ユニットは、Ｐ型ＭＯＳＦＥＴであり、該第２開閉ユニットは、Ｐ型ＭＯＳＦＥＴであり、該第３開閉ユニットは、Ｐ型ＭＯＳＦＥＴである請求項９に記載の改良型電源スイッチ制御回路。